(57)【要約】      （修正有）【課題】地震エネルギーを吸収可能で、建築物と人員の安全を確保し、しかも建築物の室内空間を拡大可能な制振壁を提供する。【解決手段】制振壁であって、頂点部が上床板に接続する上固定部品２、底部が下床板に接続する下固定部品３、上固定部品２の板面底部と下固定部品３の板面頂点部との間に連結するエネルギー吸収部品４からなり、建築物の上、下床板の間に固定し、建築物において地震により上、下床板が相対して振動し移動する時、上床板は上固定部品２を連動し、下床板は下固定部品３を連動し、これにより上、下固定部品２、３は交錯して移動し、さらにエネルギー吸収部品４により、交錯振動移動のエネルギーを熱エネルギーに転換して発散する。【選択図】図２
0003152545.tif 000002
【実用新案登録請求の範囲】
【請求項１】
制振壁であって、頂点部が上床板に接続する上固定部品、底部が下床板に接続する下固定部品、該上固定部品の板面底部と該下固定部品の板面頂点部との間に連結するエネルギー吸収部品からなり、
建築物の上、下床板の間に固定したことを特徴とする制振壁。
【請求項２】
前記エネルギー吸収部品は、高分子ダンピング材料層、及び該高分子ダンピング材料層の相対する両側にそれぞれ連結する左側板及び右側板を備え、
該左側板と該上固定部品の板面底部とは連結し、該右側板と該下固定部品の板面頂点部とは連結したことを特徴とする請求項１記載の制振壁。
【請求項３】
前記高分子ダンピング材料層、中間層、及び該中間層の端部から外へと延伸するコーティング層を備え、
該中間層は、該左側板と該右側板との間に挟んで設置し、該コーティング層は、該左側板及び該右側板の周縁をコーティングしたことを特徴とする請求項１記載の制振壁。
【請求項４】
前記上固定部品は、上定位板、上連接板、上板体を備え、
該上定位板の頂点部は、上床板に接続し、該上連接板は該上定位板の底部及び該上板体の頂点部に接続したことを特徴とする請求項１、２或いは３記載の制振壁。
【請求項５】
前記下固定部品は、下定位板、下連接板、下板体を備え、
該下定位板の底部は、下床板に接続し、該下連接板は、該下定位板の頂点部及び該下板体の底部に接続したことを特徴とする請求項１、２或いは３記載の制振壁。
【考案の詳細な説明】
【技術分野】
【０００１】
本考案は、制振壁に関し、特に上固定部品及び下固定部品により、エネルギー吸収部品を挟んで設置し、エネルギー吸収部品により、上、下固定部品が伝送する振動エネルギーを熱エネルギーに転換して発散し、耐震効果を達成する制振壁に関するものである。
【背景技術】
【０００２】
地震は予測不能で、強大な破壊力を持ち、人々に恐れられており、地震によって起り得る災害をできるだけ少なくするため、今も各界の努力が続いている。
特に、建築業者にとっては、建築材料と建築構造とを対応させることで、建築物の耐震性能をいかにして高めるかは、重要な課題である。
【０００３】
地震発生時には、地層の変動により、建物の基礎は加速度を生じ、それが建築物のＮ層の床板に作用し、床板Ｎ層とＮ−１層との間には、相対振動移動を生じる。
その相対振動移動は、第一層から第Ｎ層まで蓄積し、しかも上部階層に近づけば近づくほど、蓄積された振動移動は大きくなる。
そのため、各階層に制振装置、地震エネルギー吸収装置などを設置し、階層間の相対振動移動により生じる建築物への損害を減少させる必要がある。
【０００４】
近年、耐震建築と耐震建築材料の進歩により、多くの制振装置が、厳格な耐震試験に合格し、建築物の耐震性能向上が証明されている。
現行の地震エネルギー吸収装置は、主にスチール板をカットし欠口を形成し、弾力を持たせ、これにより振動の波形に対応し、建築物の鉄骨に対して異なる方向の緩衝作用、エネルギー吸収作用を生じ、こうして建築物を保護するものである。
また、ダンパーを採用し、耐震効果を達成するものもある。
【０００５】
実際の使用時においても、上記の各種制振装置は、一定程度の耐震効果を達成することができる。
しかし、従来の地震エネルギー吸収装置、或いはダンパーは形状が非常に大きく、取り付けることで、建築物内において大幅に空間を占拠してしまい、建築物内の利用可能な空間を減小させている。
本考案は、従来の耐震装置の上記した欠点に鑑みてなされた、地震エネルギーを効果的に吸収可能で、建築物と人員の安全を確保し、しかも場所をとらず、建築物内の利用可能な室内空間を拡大することができるものである。
【先行技術文献】
【特許文献】
【０００６】
【特許文献１】特開２００２−３５７０１０号公報
【特許文献２】特開２００４−２４８５０９号公報
【特許文献１】特開２００４−１８３３２４号公報
【考案の概要】
【考案が解決しようとする課題】
【０００７】
本考案が解決しようとする第一の課題は、上固定部品と下固定部品との間に、エネルギー吸収部品である制振壁を挟んで設置し、エネルギー吸収部品により上、下固定部品が伝送する振動を吸収し、振動エネルギーを熱エネルギーに転換して発散し、地震エネルギー吸収の効果を達成可能な制振壁を提供することである。
本考案が解決しようとする第二の課題は、上固定部品と下固定部品との間に、板片状のエネルギー吸収部品である制振壁を挟んで設置し、これにより取り付け後の全体の体積を減少させることができ、建築物内の使用可能な室内空間を拡大することができる制振壁を提供することである。
【課題を解決するための手段】
【０００８】
上記課題を解決するため、本考案は下記の制振壁を提供する。
制振壁は、頂点部が上床板に接続する上固定部品、底部が下床板に接続する下固定部品、該上固定部品の板面底部と該下固定部品の板面頂点部との間に連結するエネルギー吸収部品からなり、建築物の該上、下床板の間に固定し、実施時には、該エネルギー吸収部品は、高分子ダンピング材料層、及び該高分子ダンピング材料層の相対する両側にそれぞれ連結する左側板及び右側板を備え、該左側板と該上固定部品の板面底部とは連結し、該右側板と該下固定部品の板面頂点部とは連結する。
【考案の効果】
【０００９】
本考案は、所期の目的を確実に達成することができ、地震エネルギーを吸収可能で、建築物と人員の安全を確保し、しかも建築物の室内空間を拡大可能な制振壁を提供することができる。
【図面の簡単な説明】
【００１０】
【図１】本考案最適実施例の立体外観図である。
【図２】本考案最適実施例の部品分解図である。
【図３】本考案最適実施例のエネルギー吸収部品の立体断面図である。
【図４】本考案最適実施例の使用状態図である。
【図５】本考案のエネルギー吸収部品が、交錯外力を受けた時の変形状態を示す模式図である。
【考案を実施するための形態】
【００１１】
以下に図面を参照しながら本考案を実施するための最良の形態について詳細に説明する。
【実施例】
【００１２】
図１、２に示すように、本考案制振壁１の最適実施例は、頂点部が上床板に接続する上固定部品２、底部が下床板に接続する下固定部品３、該上固定部品２の板面底部と該下固定部品３の板面頂点部との間に連結するエネルギー吸収部品４から構成し、建築物の該上、下床板（従来例の図４の８、９を参照）の間に固定する。
【００１３】
該上固定部品２は、上定位板２１、上板体２２、及び２個の上連接板２３、２３’を備える。
該上定位板２１は水平板体２１１及び垂直板体２１２により形成する逆Ｌ型板で、該水平板体２１１上には、上下に貫通した複数の通孔２１３を備え、これにそれぞれボルトを通した後、建築物の上床板８底面に固定する（図４参照）。
【００１４】
該垂直板体２１２上には、左右に貫通した複数の穿孔２１４を設置する。
実施時には、該水平板体２１１は、スチールクギにより該上床板８に固定され、或いは溶接、リベット固定の方式により該上床板８底面に固定される。
【００１５】
該上板体２２の上半分は、長方形を呈し、下半分は、円形を呈する。しかも、該上板体２２の上半分には、複数の孔道２２１を設置し、該上板体２２の円形の下半分には、環状の列を成して排列する複数の定位孔２２２を設置する。
【００１６】
該各上連接板２３、２３’の板面上には、該垂直板体２１２に対応する複数の各穿孔２１４、及び該上板体２２の孔道２２１に対応する複数の円孔２３１、２３１’をそれぞれ設置する。
これらに複数のネジを通過させた後、ナットで螺合し、該垂直板体２１２と該上板体２２の上半分とを、２個の上連接板２３、２３’間に挟んで定位し、これにより該上定位板２１、該上板体２２、及び該２個の上連接板２３、２３’は、固定連結を形成する。
実施時には、該上定位板２１、該上板体２２、及び該２個の上連接板２３、２３’は、リベット接続方式で結合することができる。
【００１７】
該下固定部品３は、下定位板３１、下板体３２、及び２個の下連接板３３、３３’を備える。
該下定位板３１は、水平板体３１１及び垂直板体３１２により形成するＬ型板で、該水平板体３１１上には、上下に貫通した複数の通孔３１３を設置し、これにそれぞれボルトを通した後、建築物の下床板９上表面に固定する（図４参照）。
【００１８】
該垂直板体３１２上には、左右に貫通した複数の穿孔を設置する。
実施時には、該水平板体３１１は、スチールクギにより該下床板９に固定し、或いは溶接、リベット固定の方式により該下床板９上表面に固定される。
【００１９】
該下板体３２の下半分は長方形を呈し、上半分は円形を呈する。
しかも、該下板体３２の下半分には、複数の孔道３２１を設置し、該下板体３２の円形の上半分には、環状の列を成して排列する複数の定位孔３２２を設置する。
【００２０】
該各下連接板３３、３３’の板面上には、該下定位板３１の垂直板体３１２に対応する複数の各穿孔、及び該下板体３２の孔道３２１に対応する複数の円孔３３１、３３１’をそれぞれ設置する。
これらに複数のネジを通過させた後、ナットで螺合し、該下定位板３１の垂直板体３１２及び該下板体３２の下半分を、該２個の下連接板３３、３３’の間に挟んで固定し、これにより、該下定位板３１、該下板体３２、及び該２個の下連接板３３、３３’は固定連結を形成する。
実施時には、該下定位板３１、該下板体３２、及び該２個の下連接板３３、３３’は、リベット接続方式により結合することができる。
【００２１】
図３に示すように、該エネルギー吸収部品４は、高分子ダンピング材料層４１、円板状の左側板４２、円板状の右側板４３を備える。
該左、右側板４２、４３はスチール板である。
【００２２】
該高分子ダンピング材料層４１は、中間層４１１、及び該中間層４１１の端部周縁から垂直に外へと延伸するコーティング層４１２を備え、これにより該高分子ダンピング材料層４１の左、右両側には、それぞれ円槽を形成する。
これにより該左側板４２と該右側板４３とを収容設置して結合し、こうして該中間層４１１は、該左側板４２と該右側板４３との間に挟んで設置される。
【００２３】
該コーティング層４１２は、該左側板４２及び該右側板４３の周縁をコーティングする。
また、該左側板４２の板面上には、該下板体３２の上半分の定位孔３２２に対応する複数のネジ孔４２１を設置し、複数のネジにより、該下板体３２の定位孔３２２及びネジ孔４２１を通過後、該下板体３２及び該左側板４２に連結を形成する。
該右側板４３の板面上には、該上板体２２の下半分の定位孔２２２に対応する複数のネジ孔４２１を設置し、複数のネジにより、該下板体３２の定位孔２２２及びネジ孔４２１を通過後、連結を形成する。
【００２４】
図４は本考案の使用状態図である。
該上固定部品２の頂点部は、上床板８に接続し、該下固定部品３の底部は、下床板９に接続する。
【００２５】
地震発生時に、建築物の上、下床板８、９が、相対振動移動を生じる時、該上、下固定部品２、３は交錯移動の状態を呈し、高分子ダンピング材料層４を連動し変形させる（図５参照）。
該高分子ダンピング材料層４は、交錯振動移動のエネルギーを熱エネルギーに転換して、発散する物理的特性を備えるため、建築物の各階層が過度に揺れることによる損壊を回避することができる。
【００２６】
本考案は以下の長所を備える。
１．  本考案は、エネルギー吸収部品である高分子ダンピング材料層により、上、下床板が地震により生じる交錯振動移動エネルギーを吸収し、振動エネルギーを熱エネルギーに転換して発散し、地震により建築物に生じる変位を回避し、建築物及び人員の安全を確保することができる。
２．  本考案は、従来の制振装置に比べ、厚みが薄いという長所を備え、しかも微変形回復不能及び疲労断裂という問題と無縁であるため、建築物の壁体内に設置可能で、よって当初の建築配置に影響を及ぼすことがなく、室内空間を十分に残すことができる。
【００２７】
上記の本考案の具体的実施例及び運用する技術手段は、本考案技術内容の説明に用いたのみで、本考案を限定するものではない。本考案の精神に基づく等価応用或いはいは部品（構造）の転換、置換、数量の増減はすべて、本考案の保護範囲に含むものことは勿論である。
【産業上の利用可能性】
【００２８】
上記のように、本考案は、所期の目的を確実に達成することができ、地震エネルギーを吸収可能で、建築物と人員の安全を確保し、しかも建築物の室内空間を拡大可能な制振壁を提供することができ、高い実用の価値を備える。
【符号の説明】
【００２９】
１  制振壁
２  上固定部品
２１  上定位板  
２１１、３１１  水平板体
２１２、３１２  垂直板体
２１３  通孔
２１４  穿孔
２２  上板体
２２１  孔道
２２２  定位孔
２３、２３’  上連接板
２３１、２３１’  円孔
３  下固定部品
３１  下定位板  
３１３  通孔
３２  下板体
３２１  孔道
３２２  定位孔
３３、３３’  下連接板
３３１、３３１’  円孔
４  エネルギー吸収部品
４１  高分子ダンピング材料層
４１１  中間層
４１２  コーティング層
４２  左側板
４２１  ネジ孔
４３  右側板
８  上床板
９  下床板
【図１】
0003152545.tif 000003
【図２】
0003152545.tif 000004
【図３】
0003152545.tif 000005
【図４】
0003152545.tif 000006
【図５】
0003152545.tif 000007
【手続補正書】
【提出日】平成21年5月28日(2009.5.28)
【手続補正１】
【補正対象書類名】実用新案登録請求の範囲
【補正対象項目名】全文
【補正方法】変更
【補正の内容】
【実用新案登録請求の範囲】
【請求項１】
制振壁であって、頂点部が上床板に接続する上固定部品、底部が下床板に接続する下固定部品、該上固定部品の板面底部と該下固定部品の板面頂点部との間に連結するエネルギー吸収部品からなり、
建築物の上、下床板の間に固定したことを特徴とする制振壁。
【請求項２】
前記エネルギー吸収部品は、高分子ダンピング材料層、及び該高分子ダンピング材料層の相対する両側にそれぞれ連結する左側板及び右側板を備え、
該左側板と該上固定部品の板面底部とは連結し、該右側板と該下固定部品の板面頂点部とは連結したことを特徴とする請求項１記載の制振壁。
【請求項３】
前記エネルギー吸収部品は高分子ダンピング材料層、中間層、及び該中間層の端部から外へと延伸するコーティング層を備え、
前記中間層は、前記エネルギー吸収部品に設けた左側板と右側板との間に挟んで設置し、該コーティング層は、該左側板及び該右側板の周縁をコーティングしたことを特徴とする請求項１記載の制振壁。
【請求項４】
前記上固定部品は、上定位板、上連接板、上板体を備え、
該上定位板の頂点部は、上床板に接続し、該上連接板は該上定位板の底部及び該上板体の頂点部に接続したことを特徴とする請求項１、２或いは３記載の制振壁。
【請求項５】
前記下固定部品は、下定位板、下連接板、下板体を備え、
該下定位板の底部は、下床板に接続し、該下連接板は、該下定位板の頂点部及び該下板体の底部に接続したことを特徴とする請求項１、２或いは３記載の制振壁。